(57)【要約】【課題】平板表示装置の輝度を向上させる場合にも明室コントラストを確保できるフィルム状フィルタを提供する。【解決手段】複数の貫通ホール１４が形成された支持層１３と、支持層１３の両面に配置される第１電極層１１及び第２電極層１２と、貫通ホール１４に挿入され、第１電極層１１及び第２電極層１２を介して印加される電界に応じて光透過率が変化するブラインド部材１６とを備える。【選択図】図２Ａ
2009181118.tif 000002
【特許請求の範囲】
【請求項１】
複数の貫通ホールが形成された支持層と、
前記支持層の両面に配置される第１電極層及び第２電極層と、
前記貫通ホールに挿入され、前記第１電極層及び前記第２電極層を介して印加される電界に応じて光透過率が変化するブラインド部材と
を備えることを特徴とするフィルム状フィルタ。
【請求項２】
前記第１電極層及び前記第２電極層は透明物質からなることを特徴とする請求項１に記載のフィルム状フィルタ。
【請求項３】
前記透明物質はＩＴＯであることを特徴とする請求項２に記載のフィルム状フィルタ。
【請求項４】
前記ブラインド部材は、分極性粒子からなることを特徴とする請求項１に記載のフィルム状フィルタ。
【請求項５】
前記第１電極層又は前記第２電極層上に配置される反射防止層、防眩層及びこれらの組み合わせのいずれかの上部層を更に備えることを特徴とする請求項１に記載のフィルム状フィルタ。
【請求項６】
前記上部層の厚さは２〜７μｍ、鉛筆硬度は２〜３Ｈ、ヘイズは１〜３％であることを特徴とする請求項５に記載のフィルム状フィルタ。
【請求項７】
前記上部層の一面に配置される接着層と、
前記接着層の一面に配置されるか、または前記接着層に含まれる色補正層、ネオン光遮断層及び近赤外線遮断層のうち、少なくともいずれか１つのカラーコーティング層を更に備えることを特徴とする請求項５に記載のフィルム状フィルタ。
【請求項８】
前記第１電極層又は前記第２電極層上に配置される接着層を更に備えることを特徴とする請求項１に記載のフィルム状フィルタ。
【請求項９】
前記接着層は、色補正層、ネオン光遮断層及び近赤外線遮断層のうち少なくともいずれか１つのための色素を有することを特徴とする請求項８に記載のフィルム状フィルタ。
【請求項１０】
前記第１電極層又は前記第２電極層上に配置される電磁波遮蔽層を更に備えることを特徴とする請求項８に記載のフィルム状フィルタ。
【請求項１１】
前記第１電極層及び前記第２電極層に電圧を印加する電源部を更に備えることを特徴とする請求項１に記載のフィルム状フィルタ。
【請求項１２】
前記第１電極層又は前記第２電極層上に配置される少なくとも１つの透明フィルムを更に備えることを特徴とする請求項２〜１１のいずれか一項に記載のフィルム状フィルタ。
【請求項１３】
表示装置の視認面上に直接貼り付けられるフィルムフィルタであって、
対向配置される第１電極層と第２電極層と、
貫通ホールを備え、前記第１電極層及び前記第２電極層の間に配置される支持層と、
前記貫通ホールに配置され、外部から印加される電界に応じて光透過率が変化するブラインド部材と、
前記第１電極層上に配置される電磁波遮蔽層と、
前記電磁波遮蔽層上に配置されるカラーコーティング層と、
前記カラーコーティング層上に配置される放射防止層と、
を備えることを特徴とするフィルム状フィルタ。
【請求項１４】
前記第１電極層と前記電磁波遮蔽層との間に配置される透明フィルム及び前記第２電極層上に配置されるもう１つの透明フィルムを更に備えることを特徴とする請求項１３に記載のフィルム状フィルタ。
【請求項１５】
平板表示装置の本体と、
前記平板表示装置の本体の視認面上に貼り付けられるフィルム状フィルタとを備え、
前記フィルム状フィルタは請求項１〜１４のいずれか一項に記載のフィルム状フィルタである平板表示装置。
【請求項１６】
前記フィルム状フィルタの支持層は黒色系の色相を有し、
前記黒色系の色相を有する部分は、前記平板表示装置の発光領域及び非発光領域のうち前記非発光領域に相応するパターン構造であることを特徴とする請求項１５に記載の平板表示装置。
【請求項１７】
前記平板表示装置の本体は、液晶表示装置、プラズマディスプレイパネル、有機電気発光表示装置、電界放出表示装置及び真空蛍光表示管のいずれか１つであることを特徴とする請求項１５に記載の平板表示装置。
【発明の詳細な説明】
【技術分野】
【０００１】
本発明は、輝度を向上させながら明室コントラストを向上させることができるフィルム状フィルタ及びこれを備える平板表示装置に関する。
【背景技術】
【０００２】
一般に、プラズマディスプレイパネルは、気体放電（プラズマ）現象を用いた平板表示装置である。プラズマディスプレイパネルは、既存の表示装置を代表するＣＲＴに比べて大型化及び薄型化を同時に満足させることができ、次世代のディスプレイ装置の１つとして持続的に研究開発されている。
【０００３】
プラズマディスプレイパネルは、放電により駆動するので、強い電磁波を放出し、このような電磁波は人体や他の電子機器に影響を及ぼす。従って、既存のプラズマディスプレイパネルでは放出する電磁波を法定基準値以下に抑えることが求められている。そのために、既存の大半のプラズマディスプレイパネルでは電磁波と近赤外線を遮断しながら、同時に外部光の反射率を下げて明室コントラストを向上させることができる全面フィルタを採用している。
【０００４】
全面フィルタは、ガラスを使用するか否かによって、強化ガラスフィルタとフィルム状フィルタとに区分することができるが、強化ガラスフィルタは外部の衝撃に強いという長所がある反面、３ｍｍ程度の厚さを有しているため、重くて設置費用が多くかかる。また、パネルの上板ガラスとの間に界面が生じ、界面における光の屈折により映像が二重に反射されるという問題点がある。それに対し、フィルム状フィルタは強化ガラスフィルタと比較するとき、樹脂材料を用いていることから、軽量化及び薄型化、二重映像の改善などの長所があるが、光効率面において内部光と外部光の透過率が同一であるため、表示装置の視認性及び明室および暗室コントラストを向上させるには限界がある。
【０００５】
更に、全面フィルタは光特性の向上のために、特定波長の光を吸収する色素などにより略４０〜５５％の光透過率を有するが、このような光透過率は表示装置の輝度を下げるため、視認性がよくないという問題点がある。一方、全面フィルタの光透過率を５５％より高く設計すれば、輝度は高くなるものの、強い外光の散乱により明室コントラストが低下してしまい、高品位の動画を実現し難くなるという問題点がある。
【特許文献１】大韓民国特許公開第２００４−００７８４２３号
【特許文献２】大韓民国特許公開第２００４−００９４０６６号
【発明の開示】
【発明が解決しようとする課題】
【０００６】
そこで、本発明は上記事情に鑑みてなされたものであって、その目的は、平板表示装置の輝度を向上させる場合にも明室コントラストを確保できるフィルム状フィルタを提供することにある。
【０００７】
また、本発明の他の目的は、前述したフィルム状フィルタを備えることで高輝度特性を有しながら、所望の明室コントラスト及び視認性を確保できる平板表示装置を提供することにある。
【課題を解決するための手段】
【０００８】
前記課題を解決するために本発明の一側面によれば、表示装置の視認面上に直接貼り付けられるフィルム状フィルタであって、複数の貫通ホールが形成された支持層と、支持層の両面に配置される第１電極層及び第２電極層と、貫通ホールに挿入され、第１電極層及び第２電極層を介して印加される電界に応じて光透過率が変化するブラインド部材とを備えるフィルム状フィルタが提供される。
【０００９】
前記第１電極層及び前記第２電極層は透明物質からなり、特に、前記透明物質はＩＴＯからなることができる。
【００１０】
前記ブラインド部材は、分極性粒子からなることができる。
【００１１】
前記フィルム状フィルタは、反射防止層及び／又は防眩層からなる上部層を更に備えることができる。前記フィルム状フィルタは、色補正層、ネオン光遮断層及び近赤外線遮断層の打ち、いずれか１つの上部層を更に備えることができる。前記フィルム状フィルタは上部層として電磁波遮蔽層を更に備えることができる。ここで、上部とはフィルム状フィルタを基準にフィルム状フィルタが貼り付けられる平板表示装置が位置する側を下部として、その反対側を意味する。
【００１２】
前記フィルム状フィルタは、接着層を更に備えることができる。また、接着層は、色補正層、ネオン光遮断層及び近赤外線遮断層のうちいずれか１つのための色素を備えることができる。
【００１３】
前記フィルム状フィルタは、透明フィルムを更に備えることができる。ここで、透明フィルムは前述した上部層や電磁波遮蔽層を支持することができる。
【００１４】
前記フィルム状フィルタは、第１電極層と第２電極層との間に電圧を印加する電源部を更に備えることができる。
【００１５】
本発明の他の側面によれば、平板表示装置の本体と、平板表示装置の本体の視認面上に貼り付けられるフィルム状フィルタとを備え、フィルム状フィルタが前述した本発明の一側面に係るフィルム状フィルタである平板表示装置が提供される。
【００１６】
前記フィルム状フィルタの支持層は、黒色系の色相を有し、前記黒色系の色相を有する部分は、平板表示装置の発光領域及び非発光領域のうち前記非発光領域に相応するパターン構造である。
【発明の効果】
【００１７】
本発明のフィルム状フィルタによれば、平板表示装置の輝度を高く設計する場合にも電界の印加時に光透過領域にブラインド部材を配置したことで、平板表示装置の明室／暗室コントラスト及び視認性を大きく改善させることができるという効果を奏する。もちろん、強化ガラスフィルタに比べてフィルム状フィルタの有する効果、例えば、平板表示装置との界面の除去による二重映像の除去効果と、平板表示装置の軽量化、薄型化及び低コスト化に対する効果も得ることができる。
【発明を実施するための最良の形態】
【００１８】
以下、添付の図面を参照しつつ、本発明の実施形態を説明する。なお、本発明の完全な理解のための必須的でない構成要素は明確性を図るために省略する。更に、同一部分には同一符号を付す。
【００１９】
以下の説明で透明という用語は、完全に透明であるという意味だけでなく、本技術分野において通常、透明と見られる程度の透過率を有することを意味する。
【００２０】
図１は、本発明の一実施形態に係るフィルム状フィルタの斜視図である。
【００２１】
図１を参照すれば、フィルム状フィルタ１０は、互いに対向するように配置される第１電極層１１と第２電極層１２、第１電極層１１と第２電極層１２との間に配置される支持層１３を含む。フィルム状フィルタ１０は、平板表示装置の視認面上に貼り付けられ得る。
【００２２】
本実施形態のフィルム状フィルタ１０は、貼り付けられる平板表示装置の輝度を向上させながら所望の明室コントラスト及び視認性を確保するために支持層１３が光透過領域となる貫通ホールと光非透過領域となるパターン構造を有する。そして貫通ホールである光透過領域には印加される電界に応じて光透過率が変化するブラインド部材が挿入されている。
【００２３】
図２Ａ及び図２Ｂは、本発明のフィルム状フィルタの構造及び作動過程を説明するための断面図である。図２Ａ及び図２Ｂは、図１のフィルム状フィルタのＩ−Ｉ’線に沿った断面に対応する。
【００２４】
図２Ａを参照すれば、支持層１３は、フィルム状フィルタ１０の第１電極層１１と第２電極層１２との間に配置され、貫通ホール１４を備える。支持層１３は、貫通ホール１４により格子状のパターンとなっている（図３Ａ参照）。前述した支持層１３は、ポリエーテルスルホン（ＰＥＳ、ｐｏｌｙｅｔｈｅｒｓｕｌｐｈｏｎｅ）、ポリアクリレート（ＰＡＲ、ｐｏｌｙａｃｒｙｌａｔｅ）、ポリエーテルイミド（ＰＥＩ、ｐｏｌｙｅｔｈｅｒｉｍｉｄｅ）、ポリエチレンナフタレート（ＰＥＮ、ｐｏｌｙｅｔｈｙｌｅｎｅｎａｐｔｈａｌａｔｅ）、ポリエチレンテレフタレート（ＰＥＴ、ｐｏｌｙｅｔｈｙｌｅｎｅｔｅｒｅｐｈｔｈａｌａｔｅ）、ポリフェニレンスルフィド（ＰＰＳ、ｐｏｌｙｐｈｅｎｙｌｅｎｅｓｕｌｆｉｄｅ）、ポリアリレート（ｐｏｌｙａｌｌｙｌａｔｅ）、ポリイミド（ｐｏｌｙｉｍｉｄｅ）、ポリカーボネート（ｐｏｌｙｃａｂｏｎａｔｅ）、トリアセチルセルロース（ＴＡＣ、ｔｒｉａｃｅｔａｔｅｃｅｌｌｕｌｏｓｅ）、セルロースアセテートプロピオネート（ＣＡＰ、ｃｅｌｌｕｌｏｓｅ  ａｃｅｔａｔｅ  ｐｒｏｐｉｏｎａｔｅ）からなるグループより選択された少なくともいずれか１つの樹脂材料からなることができる。
【００２５】
また、支持層１３は内部光の透過を遮断し、外部光を吸収できるように黒色系の色素１５を含む。色素は支持層１３を黒色で表せる材料、即ち、可視領域の所望の波長の光を吸収できる一般の染料又は顔料であればよく、その種類は特に限定されるものではない。例えば、色素はアントラキノン系（ａｎｔｈｒａｑｕｉｎｏｎｅ−ｂａｓｅｄ）、フタロシアニン系（ｐｈｔｈａｌｏｃｙａｎｉｎｅ−ｂａｓｅｄ）、メチン系（ｍｅｔｈｉｎｅ−ｂａｓｅｄ）、アゾメチン系（ａｚｏｍｅｔｈｉｎｅ−ｂａｓｅｄ）、オキサジン系（ｏｘａｄｉｎｅ−ｂａｓｅｄ）、アゾ系（ａｚｏ−ｂａｓｅｄ）、スチレン系（ｓｔｙｒｙｌ−ｂａｓｅｄ）、クマリン系（ｃｏｕｍａｒｉｎ−ｂａｓｅｄ）、ポルフィリン系（ｐｏｒｐｈｙｒｉｎ−ｂａｓｅｄ）、ジベンゾフラン系（ｄｉｂｅｎｚｏｆｕｒａｎｓ−ｂａｓｅｄ）、ジケトピロロピロール系（ｄｉｋｅｔｏ−ｐｙｒｒｏｌｏ−ｐｙｒｒｏｌｅ−ｂａｓｅｄ）、ローダミン系（ｒｈｏｄａｍｉｎｅ−ｂａｓｅｄ）、キサンテン系（ｘａｎｔｈｅｎ−ｂａｓｅｄ）、ピロメテン系（ｐｙｒｒｏｍｅｔｅｎ−ｂａｓｅｄ）などの有機色素を含む。色素の種類及び濃度は、色素の吸収波長及び吸収係数、透明層の色調、フィルム状フィルタに要求される透過特性及び透過率などにより決定され得る。したがって、支持層１３は略格子状にパターニンされた黒色系の層となる。
【００２６】
第１電極層１１及び／又は第２電極層１２は、透明物質からなることができる。透明物質はＩＴＯ（ｉｎｄｉｕｍ  ｔｉｎ  ｏｘｉｄｅ）、ＳｎＯ２などを含む。第１電極層１１及び／又は第２電極層１２は、平板表示装置の画面に放出される電磁波（ｅｌｅｃｔｒｏｍａｇｎｅｔｉｃ  ｉｎｔｅｒｆｅｒｅｎｃｅ、ＥＭＩ）を遮蔽する機能を行える。
【００２７】
本明細書において、黒色、黒色系又は黒色系の色相は入射される光の殆どを遮断又は吸収できる色相だけでなく、本技術分野において通常、光透過率が一定値以下に低い透過率を有する色相を意味する。
【００２８】
ブラインド部材１６は、支持層１３の貫通ホール１４に配置される。ブラインド部材１６の光透過率は、第１電極層１１と第２電極層１２を介して印加される電界によって変化する。例えば、ブラインド部材１６は電界を印加すれば、透明になって光を透過させ、電界を印加しなければ、不透明になって光を遮断する。前述したブラインド部材１６は、分極性粒子（Ｓｕｓｐｅｎｄｅｄ  Ｐａｒｔｉｃｌｅ）や光変色素子（ｐｈｏｔｏｃｈｒｏｍｉｃ  ｄｅｖｉｃｅ）や電気光変色素子（ｅｌｅｃｔｒｏｃｈｒｏｍｉｃ  ｄｅｖｉｃｅ）などを用いて形成され得る。
【００２９】
例えば、分極性粒子をブラインド部材１６として用いる場合は、液晶分子と高分子を混合して製作する。このような分極性粒子を用いたブラインド部材１６は、電界が印加されないとき、分極性粒子である液晶分子が不規則なブラウン（ｒａｎｄｏｍ  ｂｒｏｗｎｉａｎ）運動を行うため、入射される光が吸収及び散乱されて低い光透過率を示し、電界が印加されれば、液晶分子が電界方向に配列されて透明な状態となるため、高い光透過率を示す。
【００３０】
前述した分極性粒子を用いるブラインド部材１６は、第１電極層１１と第２電極層１２に電界を印加して光透過率を容易に制御できるという利点以外に更に９９％以上の紫外線を遮断し、近赤外線を反射させることができるという利点を有する。
【００３１】
前述したフィルム状フィルタ１０は待機モード、即ち、第１導電層１１と第２導電層１２に電圧が印加されないモードで支持層１３とブラインド部材１６を介して実質的に内部光を外部に殆ど透過させない。
【００３２】
一方、フィルム状フィルタ１０は、図２Ｂに示すように、電源部１７から第１導電層１１と第２導電層１２に電圧が印加されるとき、待機モードからアクティブモードに転換され、このとき、ブラインド部材１６はそれの光透過率が変化して内部光を外部に透過させる。そして、外部光は黒色の支持層１３により吸収され得る。前述した電圧は分極性粒子を用いたブラインド部材１６の場合、略３０〜１００Ｖの交流電圧となる。
【００３３】
本実施形態によれば、フィルム状フィルタ１０が設けられる平板表示装置の複数のピクセルが配列されいるパターン構造、即ち、発光領域に向き合うようにブラインド部材１６を配列し、前記発光領域以外の領域、即ち、非発光領域に向き合うように支持層１３をパターニングする場合、平板表示装置の作動時にピクセルのパターン構造に相応するブラインド部材１６の光透過領域と、前記非発光領域に相応する支持層１３の光不透過領域を介して平板表示装置の明室／暗室コントラストを向上させることができる。特に、平板表示装置の輝度を高く設定する場合にも前述したブラインド部材１６の光透過領域と支持層１３の光不透過領域を介して平板表示装置の所望の明室コントラスト及び視認性を容易に確保できる。
【００３４】
図３Ａ及び図３Ｂは、本発明のフィルム状フィルタに採用可能な支持層構造の平面図である。
【００３５】
図３Ａを参照すれば、支持層１３は平面からみるとき、一定間隔で互いに離れて配列される複数の貫通ホール１４を備えた格子状のパターン構造を備えることができる。本実施形態において、貫通ホール１４の形状は四角形にいずれも同一に示されているが、その形状はフィルム状フィルタが設置される平板表示装置のそれぞれの発光領域に該当する各ピクセル領域に相応して多角形や円弧を含む多角形などに同一に又は個別にそれぞれ設計され得る。
【００３６】
また、支持層１３の形状は、図３Ｂに示すように、フィルム状フィルタが設置される平板表示装置の一方向のピクセル領域に相応して貫通ホール１４ａが一方向（図４において上下方向）へ延びるストライプ状を備えるように設計され得る。
【００３７】
図４Ａ〜図４Ｄは、本発明のフィルム状フィルタの製造工程に対する断面図である。
【００３８】
まず、ポリエチレンテレフタルレート（ＰＥＴ）ペレットを２９０℃〜３００℃で溶融させ、圧出機で圧縮して２００μｍ厚さのフィルムを製作する。そして、このフィルムを再び加熱しながら、２軸延伸して厚さ１００μｍのＰＥＴフィルム２１を用意する。
【００３９】
そして、前記ＰＥＴフィルム２１の準備工程と類似の工程を通じて色素が含まれている黒色のＰＥＴフィルム２３ａを用意する。例えば、ＰＥＴフィルムの製作時にＰＥＴペレットと共に所定含有量の黒色系の色素を添加して溶融させて圧着することで、黒色のＰＥＴフィルムを製作できる。
【００４０】
次に、図４Ａに示すように、透明なＰＥＴフィルム２１上に導電膜２２を形成する。導電膜２２は、前述した第１電極層又は第２電極層に対応する。そして、導電膜２２上に黒色のＰＥＴフィルム２３ａを貼り付ける。貼り付けはロール・ツ・ロール（ｒｏｌｌ  ｔｏ  ｒｏｌｌ）工程を通じて行われ得る。
【００４１】
次に、図４Ｂに示すように、レーザエッチング（ｌａｓｅｒ  ｅｔｃｈｉｎｇ）工程を通じて黒色のＰＥＴフィルム２３ａをパターニングして貫通ホール２４を形成することで、所望のパターン構造を有する支持層２３を形成する。
【００４２】
次に、図４Ｃに示すように、スクリーンプリント法やインクジェットプリント法や蒸着法などを通じて貫通ホール２４にブラインド部材２５を挿入する。
【００４３】
次に、図４Ｄに示すように、もう１つの透明なＰＥＴフィルム２７上に更に他の導電膜２６が形成されている積層体を支持層２３とブラインド部材２５上に貼り付けてフィルム状フィルタを製作する。
【００４４】
一方、前述した製造工程において、支持層２３とその両面に位置する導電膜２２、２６及び／又は透明フィルム２１、２７の接着性を向上させるために、導電膜２２、２６は支持層２３の貫通ホール２４パターン（図３Ａの１４参照）に相応するメーンパターンと、このメーンパターンを電気的に連結しながら外部に露出するバスパターン（図示せず）を備えたパターン構造を備えることができる。ここで、一対の導電膜２２、２６は、支持層２３を挟んで面対称となるパターン構造を備えることができる。このような構造は、写真エッチングなどの工程を通じて形成され得る。前述した場合、同じＰＥＴ材料からなる層２１、２３、２７が互いに接触するので、所定圧力と雰囲気下で容易に高強度で貼り付けられ得る。
【００４５】
また、本実施形態の導電膜２２、２６は、透明フィルム２１、２７のほぼ全面にそれぞれ塗布されて形成されることができる。この場合、本発明においては、導電膜２２、２６の縁の少なくとも一部領域を除去して支持層２３と透明フィルム２１、２７を直接接触させることで、フィルム状フィルタの各層の間の結合力を向上させることができる。
【００４６】
他方、本実施形態のフィルム状フィルタの製造方法において、貫通ホール２４を備えた支持層２３の両面に導電膜２２、２６がついた透明フィルム２１、２７を積層した状態で外部と貫通ホール２４を連結する小さな隙間を通じてブラインド部材２５を貫通ホール２４に注入した後、前記隙間を塞ぐ方法が利用され得る。この場合、ブラインド部材２５は毛細管現象や気圧によって貫通ホール２４に注入される。
【００４７】
図５は、本発明の他の実施形態に係るフィルム状フィルタの断面図である。
【００４８】
図５を参照すれば、本発明のフィルム状フィルタは、基本的なフィルタ構造以外に少なくとも１つの機能層Ａ、Ｂ、Ｃを更に含むことができる。ここで、基本的なフィルタ構造とは、図２Ａを参照して前述したフィルム状フィルタ１０を意味し、以下の説明ではベース層１０とする。
【００４９】
具体的に、フィルム状フィルタは、ベース層１０の一面（以下、下部面という）に配置される第１透明フィルム３２ａを含む。第１透明フィルム３２ａは、図４Ｄの透明フィルム２１に対応する。第１透明フィルム３２ａ上には第１接着層３０ａが配置される。第１接着層３０ａは、フィルム状フィルタを平板表示装置の視認面に直接貼り付ける際に用いられ得る。
【００５０】
また、フィルム状フィルタはベース層１０の他面（以下、上部面という）に配置される第２透明フィルム３２ｂを含む。第２透明フィルム３２ｂは、図４Ｄの透明フィルム２７に対応する。
【００５１】
第２透明フィルム３２ｂ上には電磁波の遮断のための電磁波（ＥＭＩ）遮蔽層３４が配置される。電磁波遮蔽層３４は、メッシュ状の銅（Ｃｕ）薄膜やその他の所定パターンを有する導電膜で設けられ得る。電磁波遮蔽層３４上には、第２接着層３０ｂを介在して第３透明フィルム３２ｃが配置される。第２接着層３０ｂと第３透明フィルム３２ｃは、その上に設置される上部層を支持しながらその上部層と電磁波遮蔽層３４間の接着力の向上と、それら間の界面を平坦化するために設置される。
【００５２】
第３透明フィルム３２ｃ上には、色補正、ネオン光遮断及び近赤外線遮断の少なくともいずれか１つのためのカラーコーティング層３６が配置される。カラーコーティング層３６は、可視光領域で特定波長の光を選択的に吸収できる染料や顔料のような色素を含む。例えば、色素としては、ネオンの励起（ｅｘｃｉｔｅｄ）時に放出される約５８５μｍ波長付近の不要な光を遮断できるシアニン系（ｃｙａｎｉｎｅｂａｓｅｄ）、スクアリリュウム系、アゾメチン系（ａｚｏｍｅｔｈｉｎｅ  ｂａｓｅｄ）、キサンテン系、オキソノール系、アゾ系（ａｚｏｂａｓｅｄ）などの化合物が使用可能である。カラーコーティング層３６上には、第３接着層３０ｃを介在して第４透明フィルム３２ｄが配置される。第３接着層３０ｃと第４透明フィルム３２ｄは、その上に設置されるもう１つの上部層を支持しながら、その上部層とカラーコーティング層３６間の接着力の向上と、それら間の界面を平坦化するために設置される。
【００５３】
一方、前述した第１接着層３０ａ及び／又は第２接着層３０ｂに前記カラーコーティング層３６の色素が含まれる場合、前記カラーコーティング層３６とこのカラーコーティング層３６の上下面に配置される第３透明フィルム３２ｃ及び第３接着層３０ｃは省略し得る。
【００５４】
第４透明フィルム３２ｄ上には、反射防止及び／又は防眩性のための反射防止層３８が形成される。反射防止層３８は、透過される光の損失を最小化し、外部光の反射及び乱反射を防止するように配置される。反射防止層３８は、単層構造又は多層構造で設置されることができるが、単層構造はフッ素系透明高分子樹脂やフッ素化マグネシウム、シリコン系樹脂や酸化ケイ素の薄膜などを１／４波長の光学膜厚さに配置したものを含み、多層構造は屈折率の異なる金属酸化物、フッ素化物、ケイ化物、ホウ化物、炭化物、窒化物、黄化物などの無機化合物、シリコン系樹脂、アクリル樹脂、又はフッ素系樹脂などの有機化合物薄膜を２階以上配置したものを含む。前述した反射防止層３８の形成には、スパッタリング法、イオンメッキ法、イオンビームアシスト法、真空蒸着法、化学気相蒸着（ＣＶＤ）、物理気相蒸着（ＰＶＤ）などが利用され得る。
【００５５】
また、本発明のフィルム状フィルタは、図５に詳細に示していないが、反射防止層３８上に配置されるハードコーティング材を更に含むことができる。ハードコーティング材は、多様な形態の外力によるスクラッチ防止のために設けられることができ、アクリル系、ウレタン系、エポキシ系、シロキサン系ポリマーを用いて設けられることができ、また、オリゴマーのような紫外線硬貨樹脂を用いて形成され得る。そして、強度の向上のために、シリカ系のフィラーを付加的に含むことができる。前述したハードコーティング材は反射防止層３８に挿入されるか、反射防止層３８の下部面、即ち反射防止層３８と第４透明フィルム３２ｄとの間に配置されるか、反射防止層３８の上部面に配置され得る。ハードコーティング材を含む反射防止層３８はその厚さがあまり厚くなく、所望の効果が得らえるように２〜７μｍの厚さＴを有し、その光学的特性はヘイズ（ｈａｚｅ）が１〜３％程度に低く、その可視光透過率は３０％〜９０％であり、その外部光反射率は１〜２０％程度に低く、ガラス転移温度以上の耐熱性及び鉛筆硬度２〜３Ｈの硬度を有するように設計されることが好ましい。
【００５６】
図６は、本発明のフィルム状フィルタを備える平板表示装置の断面図である。本実施形態においては、平板表示装置としてプラズマディスプレイパネルの場合を例に挙げて説明する。
【００５７】
図６を参照すれば、プラズマディスプレイパネルは、パネル本体５０と、このパネル本体５０の視認面に貼り付けられるフィルム状フィルタ１０とを含む。ここで、フィルム状フィルタ１０は、図２Ａを参照して前述した本発明のフィルム状フィルタである。もちろん、フィルム状フィルタ１０は、図５を参照して前述した本発明の更に他のフィルム状フィルタに替えることができる。
【００５８】
パネル本体５０は、対向配置される上板と下板を含む。上板は第１基板５１と、この第１基板５１上に配置されるＸ−Ｙ電極（図示せず）、第１誘電体層５２及び保護膜（図示せず）を含み、下板は第２基板５３とこの第２基板５３上に配置されるアドレス電極（図示せず）、第２誘電体層５４、隔壁５５及び蛍光体層５６を含む。
【００５９】
また、パネル本体５０は上板と下板の結合構造物を支持するシャーシベースと、このシャーシベースの一面に配置され、パネルを駆動する回路からなる駆動回路基板などを含む。
【００６０】
前述したパネル本体５０の詳細な構造及び作動原理は、本技術分野において通常の知識を有する者にとって自明であるので省略する。
【００６１】
ただし、本実施形態において、フィルム状フィルタ１０のブラインド部材１６が埋められた支持層１３の貫通ホール１４がパネル本体５０の放電セル領域、即ち、蛍光体５６が塗布されている放電空間と向き合うように配置され、支持層１３が隔壁５５と向き合うように配置されている。前述した構成によれば、フィルム状フィルタ１０を介してパネル本体５０の明室コントラストが向上し得る。また、パネル本体５０の輝度を高める場合にも明室コントラスト及び視認性を容易に確保することができる。
【００６２】
また、本実施形態において、フィルム状フィルタ１０の第１電極層１１と第２電極層１２に電圧を印加する電源部は、パネル本体５０内の駆動回路基板５７に搭載された駆動回路又は電源装置に含まれ得る。この場合、パネル本体５０を駆動させる駆動回路が作動するか否によってフィルム状フィルタ１０を作動させることができるので、フィルム状フィルタ１０の制御を容易に行える。また、フィルム状フィルタ１０の作動のための別途の電源部を省略できるため、経済的である。
【００６３】
本実施形態においては、平板表示装置としてプラズマディスプレイパネルを例に挙げて説明した。しかし、本発明はそのような例に限定されない。本発明は電界発光ディスプレイ（ＦＥＤ）、真空蛍光表示管（ＶＦＤ）、有機電気発光ディスプレイ（ＯＬＥＤ）、液晶表示装置（ＬＣＤ）などのディスプレイ装置に適用可能である。
【００６４】
以上説明したように、本発明の最も好ましい実施の形態等について説明したが、本発明は、上記記載に限定されるものではなく、特許請求の範囲に記載され、または明細書に開示された発明の要旨に基づき、当業者において様々な変形や変更が可能であることは勿論であり、斯かる変形や変更が、本発明の範囲に含まれることは言うまでもない。
【図面の簡単な説明】
【００６５】
【図１】本発明の一実施形態に係るフィルム状フィルタの斜視図である。
【図２Ａ】本発明のフィルム状フィルタの構造及び作動過程を説明するための断面図である。
【図２Ｂ】本発明のフィルム状フィルタの構造及び作動過程を説明するための断面図である。
【図３Ａ】本発明のフィルム状フィルタに採用可能な支持層の構造を示す平面図である。
【図３Ｂ】本発明のフィルム状フィルタに採用可能な支持層の構造を示す平面図である。
【図４Ａ】本発明のフィルム状フィルタの製造工程に対する断面図である。
【図４Ｂ】本発明のフィルム状フィルタの製造工程に対する断面図である。
【図４Ｃ】本発明のフィルム状フィルタの製造工程に対する断面図である。
【図４Ｄ】本発明のフィルム状フィルタの製造工程に対する断面図である。
【図５】本発明の他の実施形態に係るフィルム状フィルタの断面図である。
【図６】本発明のフィルム状フィルタを備える平板表示装置の断面図である。
【符号の説明】
【００６６】
１０  フィルム状フィルタ、
１１  第１電極層、
１２  第２電極層、
１３  支持層、
１４、１４ａ  貫通ホール、
１５  色素、
１６  ブラインド部材、
１７  電源部、
３０ａ、３０ｂ、３０ｃ  接着層、
３２ａ、３２ｂ、３２ｃ、３２ｄ  透明フィルム、
３４  電磁波遮蔽層、
３６  色補正層、
３８  反射防止層。
【図１】
2009181118.tif 000003
【図２Ａ】
2009181118.tif 000004
【図２Ｂ】
2009181118.tif 000005
【図３Ａ】
2009181118.tif 000006
【図３Ｂ】
2009181118.tif 000007
【図４Ａ】
2009181118.tif 000008
【図４Ｂ】
2009181118.tif 000009
【図４Ｃ】
2009181118.tif 000010
【図４Ｄ】
2009181118.tif 000011
【図５】
2009181118.tif 000012
【図６】
2009181118.tif 000013